(57)【要約】      （修正有）【課題】広告看板等被照明体の上端部に直付けして、近くのものをより効果的に照らすことができると共に、取り付け取り外し作業が容易かつ迅速に行なえる外照式照明装置を提供する。【解決手段】広告看板等被照明体１の上端部前面２に取り付けられる後側板１１と、後側板１１の上端縁に沿って連設され、前方へ突出している反射板１２と、後側板１１の下端縁に沿って設けられた枢支軸部１３に回動自在に取り付けられた可動支持体１４と、可動支持体１４に設けられた直線型の蛍光ランプ４０の取付け器具２１と、後側板１１に設けられた取付け孔１７と、反射板１２の内側部に設けられた係止部２４とを備え、可動支持体１４が枢支軸部１３を支点に下方へ回動したとき、取付け器具２１が反射板１２から離隔して該反射板１２の下方が開放され、取付け孔１７に挿通した止めねじ３による後側板の取り付け取り外し作業が容易に行なえるように構成されている。【選択図】図２
2005070379.tif 000002
【特許請求の範囲】
【請求項１】
広告看板等被照明体の上端部前面に取り付けられる後側板と、
前記後側板の上端縁に沿って連設され、前方へ突出している反射板と、
前記後側板の下端縁に沿って設けられた枢支軸部に回動自在に取り付けられた可動支持体と、
前記可動支持体に設けられた直線型の蛍光ランプの取付け器具と、
前記後側板に設けられた取付け孔と、
前記反射板の内側部に設けられた係止部とを備え、
前記可動支持体が前記枢支軸部を支点に上方へ回動したとき、前記係止部に係合保持され、前記取付け器具に装着した前記蛍光ランプが前記反射板の下方近傍に配置され、
前記可動支持体が前記枢支軸部を支点に下方へ回動したとき、前記取付け器具が前記反射板から離隔して該反射板の下方が開放され、前記取付け孔に挿通した止めねじによる前記後側板の取付け取外し作業が容易に行なえるように構成されていることを特徴とする外照式照明装置。
【請求項２】
前記取付け孔が、前記反射板の前端縁より下方位置に設けられている請求項１記載の外照式照明装置。
【請求項３】
前記取付け孔が、前記被照明体の上端部前面に仮止めした止めねじの頭部が挿通する大径孔部と、該大径孔部の内周縁上部に連設され、前記止めねじの軸部に係合する切欠き凹部とにより形成されている請求項１又は２記載の外照式照明装置。
【請求項４】
前記被照明体の上端面に固定される固定部と、該固定部の前端縁に沿ってほぼ直角方向に延び前記被照明体の上端部前面に沿って、又は上端面の上方に配設される取付け部とから成る断面Ｌ字形の取付け金具を用い、前記取付け部に前記止めねじが螺着されることを特徴とする請求項１，２又は３記載の外照式照明装置。
【請求項５】
前記取付け金具の前記取付け部に、前記後側板の上端縁及び／又は下端縁に沿って突設された係止突条部が係合する係止突条部が突設されている４記載の外照式照明装置。
【発明の詳細な説明】
【技術分野】
【０００１】
本発明は、広告看板、商品ディスプレイ等を外側から照明する外照式照明装置に関するものである。
【背景技術】
【０００２】
従来、屋外に設置される広告看板などをスポットライトで外側から照明する場合、広告看板の前方へ突出する複数の支持アームの先端に白熱ランプ又は水銀ランプを装着して、広告看板の被照明面を前方から照射する外照式照明装置が最も一般的である。
【０００３】
しかし、上記従来の照明装置では、ランプの形状が丸形スポットであるため、遠くの広告看板を照明するのに適しているが、近くのものを照らすと丸い斑点が目立つという難点があった。また、白熱ランプ、水銀ランプは蛍光ランプに比べて、１灯当たりの消費電力が大きく、使用寿命も短いので、経済的にも不利である。
【０００４】
そこで発明者は、白熱ランプ、水銀ランプに代えて直線型の蛍光ランプをスポットライトとして採用し、特に近くの細長い広告看板等の照明に適した外照式照明装置を提案した（特許文献１参照）。
【特許文献１】特開２００３−５１２１１号公報
【発明の開示】
【発明が解決しようとする課題】
【０００５】
本発明は、特許文献１に記載された直線型の蛍光ランプをスポットライトに採用した外照式照明装置を改良したもので、広告看板等被照明体の上端部に直付けして、近くのものをより効果的に照らすことができると共に、取り付け取り外し作業が容易かつ迅速に行なえる外照式照明装置を提供することを目的とする。
【課題を解決するための手段】
【０００６】
上記目的を達成するために、本発明の外照式照明装置は、広告看板等被照明体の上端部前面に取り付けられる後側板と、前記後側板の上端縁に沿って連設され、前方へ突出している反射板と、前記後側板の下端縁に沿って設けられた枢支軸部に回動自在に取り付けられた可動支持体と、前記可動支持体に設けられた直線型の蛍光ランプの取付け器具と、前記後側板に設けられた取付け孔と、前記反射板の内側部に設けられた係止部とを備え、前記可動支持体が前記枢支軸部を支点に上方へ回動したとき、前記係止部に係合保持され、前記取付け器具に装着した前記蛍光ランプが前記反射板の下方近傍に配置され、前記可動支持体が前記枢支軸部を支点に下方へ回動したとき、前記取付け器具が前記反射板から離隔して該反射板の下方が開放され、前記取付け孔に挿通した止めねじによる前記後側板の取り付け取り外し作業が容易に行なえるように構成されていることを特徴とする。
【０００７】
前記取付け孔は、前記止めねじの締付け作業を容易にするため前記反射板の前端縁より下方位置に設けられていることが好ましい。
【０００８】
また、前記取付け孔は、前記被照明体の上端部前面に仮止めした止めねじの頭部が挿通する大径孔部と、該大径孔部の内周縁上部に連設され、前記止めねじの軸部に係合する切欠き凹部とにより形成されていることが好ましい。前記取付け孔をこのような形状にすると、仮止めした前記止めねじに対する前記後側板、したがって装置全体の位置決め及び取り付け取り外し作業が容易、かつ迅速に行なうことが可能である。
【０００９】
さらに、前記被照明体の上端面に固定される固定部と、該固定部の前端縁に沿ってほぼ直角方向に延び前記被照明体の上端部前面沿って、又は上端面の上方に配設される取付け部とから成る断面Ｌ字形の取付け金具を用い、該取付け金具を介して前記後側板、したがって装置全体を被照明体の上端部に取り付けることもできる。このような取付け金具を用いると、装置全体を前記被照明体の上端部に強固に取付け固定することができるばかりではなく、前記取付け金具の取付部を前記被照明体の上端面より上方へ突出して配置すれば、前記被照明体の上端部前面含む全体を効果的に照明することが可能となる。
【発明の効果】
【００１０】
本発明による照明装置は、広告看板等被照明体の上端部に直付けして取り付けられるので、前記被照明体を接近した位置から効果的に照明することができる。また、蛍光ランプを装着する前記取付け金具が前記可動支持体に設けられ、前記反射板から前記取付け金具を離隔して該反射板の下方へ開放した状態で前記後側板、したがって装置本体を前記被照明体の上端部に取り付けるので、装置本体の取り付け取り外し作業が容易、かつ迅速に行なうことができる。
【００１１】
さらに、本発明の照明装置は、直線型の蛍光ランプを採用したから、特に細長い広告看板、商品ディスプレイ等のスポット照明に好適である。しかも、蛍光ランプは、白熱ランプ、水銀ランプに比べて消費電力が小さく、寿命も長いので、しかも拡散光が長いため灯数も少なくてすむので、経済性の点でもすぐれている。
【発明を実施するための最良の形態】
【００１２】
本発明の外照式照明装置の装置本体を構成する後側板、反射板及び可動支持体と断面Ｌ字形の取付け金具は、アルミニウム合金を引抜き成形加工しで製作される。以下、図面に基づいて好適な実施の形態を説明する。
【実施例１】
【００１３】
図１ないし図６は、本発明の外照式照明装置の装置本体を広告看板等の被照明体１の上端部前面２に直接、取り付けた実施例を示している。
【００１４】
装置本体１０は、上端部前面２に取り付け固定される横長の後側板１１と、該後側板１１の上端縁に沿って連設され、前方へ突出すると共に、前端部１２ａが下向きに湾曲している反射板１２と、後側板１１の下端縁に沿って設けられた枢支軸部１３に回動自在に取り付けられた可動支持体１４と、後側板１１及び反射板１２の両端縁に固着した両側板１５，１５とによって、反射板１２の下方が開放された中空枠体に構成され、反射板１２直下の中空室１６に直線型の蛍光ランプ４０が配設される。後側板１１には、複数の取付け孔１７（図示の例では２つ）が横方向に所定間隔を隔てて設けられている。該取付け孔１７は、図２（ｂ）に示すように、止めねじ３の頭部４が挿通する大径孔部１７ａと、該大径孔部１７ａの内周縁上部に連設され、止めねじのねじ軸部５に係合する切欠き凹部１７ｂとにより形成されている。また、取付け孔１７は、止めねじ３の締付け作業を容易にするため、反射板１２の前端縁１２ｂより下方位置に設けられている。
【００１５】
可動支持体１４は、ほぼ直角に折曲した板部材１８，１９から成るアングル材により製作されていて、一方の板部材１８の端縁に沿って設けた湾曲支承部２０が後側板１１の枢支軸部１３に回動自在に取り付けられ、枢支軸部１３を支点に下方へ回動したとき、可動支持体１４全体が装置本体１０の中空室１６より下方へ離隔するように移動し、反射板１２の下方が開放されるように構成されている。そして、他方の板部材１９の外側面に蛍光ランプ４０を取り付ける複数の支持金具２１，２１が横方向に離間して取り付け固定されている。また、他方の板部材１９の端縁に沿って断面形状がフック状の係止突条部２２が一体に成形されている。該係止突条部２２には締付けねじ２３が組み付けられている。
【００１６】
一方、反射板１２の内側部には、係止突条部２２に対応して断面形状がＬ字状の係止突条部２４が一体に成形されていて、可動支持体１４が枢支軸部１３を支点に上方へ回動したとき、係止突条部２２が係止突条部２４に係合するようになっている。図中２５は、反射板１２の内側部に一体成形した補強リブである。
【００１７】
また、後側板１１の外側面には凹入段部２６，２７が上端部と下端部に成形されていて、上側の凹入段部２６の上端縁に沿って断面形状が鉤形の係止突条部２８が形成され、下側の凹入段部２７の上端に係止肩部２９が形成されている。係止突条部２８と係止肩部２９は後述する断面Ｌ字形の取付け金具３０を用いるときに使用されるものである。
【００１８】
次に、上記構成を有する照明装置の取り付け作業を順を追って説明する。
【００１９】
先ず図１及び図６（ａ）に示すように、被照明体１の上端部前面２に、取付け孔１７に対応するように止めねじ３，３を仮止めする。一方、装置本体１０の可動支持体１４は、枢支軸部１３を支点に回動させ、蛍光ランプ４０を取り付けた板部材１９が反射板１２から離隔して反射板１２の下方を開放した状態にする。
【００２０】
次に、図２及び図６（ｂ）に示すように、作業者が装置本体１０を手で持って取付け孔１７，１７の大径孔部１７ａ，１７ａを止めねじ３の頭部４に位置決めして嵌め合わせた後、図３に示すように、装置本体１０全体を少し下げて取付け孔１７，１７の切欠き凹部１７ｂ，１７ｂを止めねじ３，３のねじ軸部５，５に係合させて、上端部前面２に装置本体１０を仮止め支持させる。この仮止め状態において、反射板１２下方の開放されている大きな空間を利用して、止めねじ３，３を図示しないスクリュードライバを用いて締め付け、後側板１１を被照明体１の上端部前面２に固定する。
【００２１】
続いて、図４及び図６（ｃ）に示すように、可動支持体１４を枢支軸部１３を支点に上方へ回動させ、係止突条部２２を係止突条部２４に係合して係止保持させると、板部材１９が垂直姿勢になり、取付け金具２１，２１に保持した蛍光ランプ４０が反射板１２の下方に形成された中空室１６に配設される。
【００２２】
さらに、図５示すように、締付けねじ２３をねじ込んで反射板１２に押し当てると、係止突条部２２が相対的に若干引き下げられて係止突条部２４に当接し、両係止突条部２２，２４ががた付きの無い状態に係合され、可動支持体１４が固定されることにより取り付け作業は完了する。このようにして上端部前面２に取り付けられた装置本体１０に配設されている蛍光ランプ４０により被照明体１全体が照明される。
【実施例２】
【００２３】
図７ないし図９は、前述した装置本体１０を断面Ｌ字形の取付け金具３０を介して被照明体１の上端部前面２に取り付けた実施例を示している。装置本体１０自体は前述した実施例１と同一構成であるので、同一の構成部分に同一符号を付して説明は省略する。
【００２４】
Ｌ字形取付け金具３０は、被照明体１の上端面６に固定させる固定部３１と、該固定部３１の前端縁からほぼ直角方向に延びる取付け部３２とが断面Ｌ字形に一体成形されている取付け部３２には、後側板１１の取付け孔１７に対応する位置にねじ取付け部３３が設けられている。また、取付け部３２の上端縁に沿って後側板１１の係止突条部２８に係合する係止突条部３４が設けられていると共に、下端縁に沿って後側板１１の係止肩部２９に係合する係止突条部３５が設けられている。
【００２５】
上記構成を有するＬ字形取付け金具３０は、図７に示すように、固定部３１を被照明体１の上端面６にビス７で固着して、取付け部３２を上端部前面２に沿って配置させる。そして、取付け部３２のねじ取付け部３３に取付け孔１７に対応して止めねじ３を仮止めする。このとき、装置本体１０の可動支持体１４を枢支軸部１３を支点に下方へ回動させ、蛍光ランプ４０を取り付けた板部材１９が反射板１２から離隔して反射板１２の下方を開放した状態にすることは、前述した実施例１と同様である。
【００２６】
次に、図８に示すように、作業者が装置本体１０を手で持って取付け孔１７，１７の大径孔部１７ａ，１７ａを止めねじ３，３の頭部４に位置決めして嵌め合わせた後、図９に示すように、装置本体１０全体を少し下げて取付け孔１７，１７の切欠き凹部１７ｂ，１７ｂを止めねじ３，３のねじ軸部５，５に係合させると共に、係止突条部３４と係止突条部３５をそれぞれ、後側板１１の係止突条部２８と係止肩部２９に係合させて、装置本体１０を位置決めして仮止め支持させる。この仮止め状態において、反射板１２下方の開放されている空間を利用して、止めねじ３，３を図示しないスクリュードライバを用いて締め付け、後側板１１を被照明体１の上端部前面２にＬ字形取付け金具３０を介して固定する。
【００２７】
以下の取り付け作業は、前述した実施例１と全く同じであるので、省略する（図４ないし図６参照）。
【００２８】
上記のように、装置本体１０をＬ字形取付け金具３０を用いて被照明体１の上端部前面２に取り付けると、被照明体１に対して装置本体１０が強固に取り付けられる。
【実施例３】
【００２９】
図１０ないし図１２は、前述した実施例２におけるＬ字形取付け金具３０の異なる使用形態の実施例を示している。装置本体１０及びＬ字形取付け金具３０は実施例１及び２と同じであるので、同一の構成部分に同一符号を付して説明は省略する。
【００３０】
この実施例におけるＬ字形取付け金具３０は、図１０ないし図１２に示すように、被照明体１の上端面６に固定部３１をビス７で固着するのは実施例２の場合と同じであるが、取付け部３２が被照明体１の上端面６より上方へ突出して上端部前面２の延長上に配置される点が実施例２と異なっている。そして、該Ｌ字形取付け金具３０に対する装置本体１０の取り付け作業は、取付け部３２が上下逆向きになるだけで、前述した実施例２と同じであるから、説明は省略する（図１１，１２参照）。
【００３１】
上記のように取付け金具３０の取付け部３２を被照明体１の上端面６より上方へ突出させると、該取付け部３２に取り付けた装置本体１０に設けた蛍光ランプ４０により被照明体１全体をより効果的に照明することが可能となる。
【産業上の利用可能性】
【００３２】
本発明の外照式照明装置は、屋外に設置される広告看板等のスポットライトとして利用できる。
【図面の簡単な説明】
【００３３】
【図１】本発明に係る外照式照明装置の取り付け作業の第１工程を示す要部縦断側面図である。
【図２】同上取り付け作業の第２工程を示す要部縦断側面図（ａ）とｂ−ｂ線に沿う矢視図（ｂ）である。
【図３】同上取り付け作業の第３工程を示す要部縦断側面図（ａ）とｂ−ｂ線に沿う矢視図（ｂ）である。
【図４】同上取り付け作業の第４工程を示す要部縦断側面図（ａ）と同主要部の拡大断面図（ｂ）である。
【図５】同上取り付け作業の第５工程を示す要部縦断側面図（ａ）と同主要部の拡大断面図（ｂ）である。
【図６】同上取り付け作業工程を示す説明図で、（ａ）は第１工程、（ｂ）は第２及び３工程、（ｃ）は第４工程、（ｄ）は第５工程を示している。
【図７】本発明に係る外照式照明装置の別の実施例における取り付け作業の第１工程を示す要部縦断側面図である。
【図８】同上取り付け作業の第２工程を示す要部縦断側面図（ａ）とｂ−ｂ線に沿う矢視図（ｂ）である。
【図９】同上取り付け作業の第３工程を示す要部縦断側面図である。
【図１０】本発明に係る外照式照明装置のさらに別の実施例における取り付け作業の第１工程を示す要部縦断側面図である。
【図１１】同上取り付け作業の第２工程を示す要部縦断側面図（ａ）とｂ−ｂ線に沿う矢視図（ｂ）である。
【図１２】同上取り付け作業の第３工程を示す要部縦断側面図（ａ）とｂ−ｂ線に沿う矢視図（ｂ）である。
【符号の説明】
【００３４】
１  被照明体
２  上端部前面
３  止めねじ
４  頭部
５  ねじ軸部
６  上端面
１０  装置本体
１１  後側板
１２  反射板
１３  枢支軸部
１４  可動支持体
１５  側板
１６  中空室
１７  取付け孔
１８，１９  板部材
２０  湾曲支承部
２１  支持金具
２２  係止突条部
２３  締付けねじ
２４  係止突条部
２６，２７  凹入段部
２８  係止突条部
２９  係止肩部
３０  Ｌ字形取付け金具
３１  固定部
３２  取付け部
３４，３５  係止突条部
【図１】
2005070379.tif 000003
【図２】
2005070379.tif 000004
【図３】
2005070379.tif 000005
【図４】
2005070379.tif 000006
【図５】
2005070379.tif 000007
【図６】
2005070379.tif 000008
【図７】
2005070379.tif 000009
【図８】
2005070379.tif 000010
【図９】
2005070379.tif 000011
【図１０】
2005070379.tif 000012
【図１１】
2005070379.tif 000013
【図１２】
2005070379.tif 000014